(57)【要約】【課題】軽量基材を面材で被覆した軽量基材板体において、例えば照明器具の電源ボックス等の二次部材の組み込みを、重量物化を招くことなく可能とする。【解決手段】壁１に取り付けられる受桟２と、軽量基材４ａの少なくとも上下等の両面及び前端面を面材４ｂで被覆して、その面材４ｂを受桟２に被せて固定される軽量基材板体４と、を備える軽量基材板体ユニットであって、受桟２には、面材４ｂとは異なる二次部材６が固定可能とされている。その二次部材６は、面材４ｂによって被覆された状態で受桟２に固定可能とされている。さらに、面材４ｂの少なくとも一方から外部を照明する照明器具５を備え、二次部材は、その照明器具５の電源ボックス６である。そして、受桟２には、壁１の内部から電源ボックス６への配線７を通す配線孔２ａ及び配線溝２ｂが形成されている。【選択図】図１
2018171134.tif 000002
【特許請求の範囲】
【請求項１】
壁に取り付けられる受桟と、
軽量基材と、前記軽量基材のうち少なくとも上下等の両面及び前端面を被覆するとともに前記受桟に被せられて固定される面材と、からなる軽量基材板体と、
を備える軽量基材板体ユニットであって、
前記受桟には、前記面材とは異なる二次部材が固定可能とされていることを特徴とする軽量基材板体ユニット。
【請求項２】
請求項１に記載の軽量基材板体ユニットにおいて、
前記二次部材は、前記面材によって被覆された状態で前記受桟に固定可能とされていることを特徴とする軽量基材板体ユニット。
【請求項３】
請求項２に記載の軽量基材板体ユニットにおいて、
前記面材の少なくとも一方から外部を照明する照明器具を備え、
前記二次部材は、前記照明器具の電源ボックスであることを特徴とする軽量基材板体ユニット。
【請求項４】
請求項３に記載の軽量基材板体ユニットにおいて、
前記受桟には、前記壁の内部から前記電源ボックスへの配線を通す配線孔又は配線溝が形成されていることを特徴とする軽量基材板体ユニット。
【請求項５】
請求項３又は４に記載の軽量基材板体ユニットにおいて、
前記軽量基材板体は、前記照明器具における光の照射方向に向かって開口し、前記照明器具が設けられる開口溝を有し、
前記面材の内部側には、前記開口溝の位置に対応して、前記照明器具を固定するための受材が設けられていることを特徴とする軽量基材板体ユニット。
【請求項６】
請求項１に記載の軽量基材板体ユニットにおいて、
前記二次部材は、前記面材の外側面に接し、当該面材を介した状態で前記受桟に固定可能とされていることを特徴とする軽量基材板体ユニット。
【請求項７】
請求項６に記載の軽量基材板体ユニットにおいて、
前記軽量基材板体は、前記軽量基材の前端面に設けられて前記軽量基材と共に前記面材によって被覆された芯材を備え、
前記二次部材は、前記壁に取り付けられた前記受桟と前記芯材に跨って配置されて固定可能とされていることを特徴とする軽量基材板体ユニット。
【請求項８】
請求項７に記載の軽量基材板体ユニットにおいて、
前記受桟は前記壁に対して縦方向に沿って取り付けられ、
前記軽量基材板体は、前記面材が前記受桟に被せられて固定されることによって縦方向に配置され、
前記二次部材は、縦方向に配置された前記軽量基材板体に交差する方向に配置される軽量基材棚板を固定するための棚板用受桟であることを特徴とする軽量基材板体ユニット。
【発明の詳細な説明】
【技術分野】
【０００１】
本発明は、壁に取り付けた受桟に対し、ペーパーハニカム等の軽量基材を挟み込んだ面材の端部を被せて固定する軽量基材板体ユニットに関する。
【背景技術】
【０００２】
特許文献１において、中空状の棚板の内部に、下方を照明する照明器具と、そのコントローラボックスとを設けた棚部材及び棚固定構造が提案されている。
また、特許文献２には、一対の面材間に、枠材と、中空形状のコア単体を集合させて形成したコア材とが配置固定されたアルミニウム製で、下方を照明するＬＥＤ照明ユニットを組み込んだハニカムパネルが提案されている。
なお、特許文献３にて、建築物に作り付けられた収納本体内の受桟上に設置される棚板で、金属製補強芯材及び木製芯材を含む枠体内に、軽量化と強度を高めるペーパーハニカムによる軽量基材を内蔵して、上下の面材で挟み込んだフラッシュ構造の軽量基材棚板が公知となっている。
【先行技術文献】
【特許文献】
【０００３】
【特許文献１】特開２０００−２７０９４３号公報
【特許文献２】特開２０１１−１７１２６６号公報
【特許文献３】特開２００１−８１９５７号公報
【発明の概要】
【発明が解決しようとする課題】
【０００４】
ところで、特許文献２のようなアルミニウム製ハニカムパネルよりも軽量化を企図して、特許文献３のような上下の面材間に木製芯材及び紙製軽量基材を内蔵した軽量基材棚板において、下方を照明する照明器具及びその電源ボックスを組み込もうとすることが考えられる。
その場合、例えば特許文献１のように、下方の面材に照明器具とコントローラボックスを各々取り付けるための支持材がそれぞれ必要となり、軽量化に反して重量物化してしまうことになる。
【０００５】
本発明の課題は、軽量基材を面材で被覆した軽量基材板体において、例えば照明器具の電源ボックス等の二次部材の組み込みを、重量物化を招くことなく可能とすることである。
【課題を解決するための手段】
【０００６】
以上の課題を解決するため、請求項１に記載の発明は、例えば図１から図８（または図９から図１５）に示すように、
壁１（１１）に取り付けられる受桟２（２１）と、
軽量基材４ａ（３２）と、前記軽量基材４ａ（３２）のうち少なくとも上下等の両面及び前端面を被覆するとともに前記受桟２（２１）に被せられて固定される面材４ｂ（３４）と、からなる軽量基材板体４（３１）と、
を備える軽量基材板体ユニットであって、
前記受桟２（２１）には、前記面材４ｂ（３４）とは異なる二次部材６（４１）が固定可能とされていることを特徴とする。
【０００７】
請求項１に記載の発明によれば、壁１（１１）に取り付けた受桟２（２１）には、面材４ｂ（３４）とは異なる二次部材６（４１）が固定可能とされているので、軽量基材４ａ（３２）の少なくとも上下等の両面及び前端面を被覆する面材４ｂ（３４）を受桟２（２１）に被せて固定する軽量基材板体４（３１）の面材４ｂ（３４）とは異なる二次部材６（４１）を受桟２（２１）に固定することで、二次部材６（４１）の支持材が別途不要となり、重量を抑えることができて、軽量基材板体４（３１）の面材４ｂ（３４）の端部を被せて固定する受桟２（２１）に対し、二次部材６（４１）を安定的に支持することができる。
このように、軽量基材板体４（３１）において、二次部材６（４１）の組み込みを、重量物化を招くことなく、面材４ｂ（３４）の端部を被せて固定する受桟２（２１）を利用して実現することができる。
【０００８】
請求項２に記載の発明は、例えば図１から図８に示すように、
請求項１に記載の軽量基材板体ユニットにおいて、
前記二次部材６は、前記面材４ｂによって被覆された状態で前記受桟２に固定可能とされていることを特徴とする。
【０００９】
請求項２に記載の発明によれば、二次部材６は、面材４ｂによって被覆された状態で受桟２に固定可能とされているので、受桟２に固定した二次部材６を、軽量基材板体４の面材４ｂにより被覆して隠すことができる。
【００１０】
請求項３に記載の発明は、例えば図１から図８に示すように、
請求項１に記載の軽量基材板体ユニットにおいて、
前記面材４ｂの少なくとも一方から外部を照明する照明器具５を備え、
前記二次部材は、前記照明器具５の電源ボックス６であることを特徴とする。
【００１１】
請求項３に記載の発明によれば、二次部材が、面材４ｂの少なくとも一方から外部を照明する照明器具５の電源ボックス６なので、軽量基材板体４内に照明器具５の電源ボックス６を隠すことができる。
【００１２】
請求項４に記載の発明は、例えば図１、図６から図８に示すように、
請求項２に記載の軽量基材板体ユニット４において、
前記受桟２には、前記壁１の内部から前記電源ボックス６への配線７を通す配線孔２ａ又は配線溝２ｂが形成されていることを特徴とする。
【００１３】
請求項４に記載の発明によれば、壁１の内部から電源ボックス６への配線７を、受桟２に形成された配線孔２ａ又は配線溝２ｂに沿って通ことができる。
【００１４】
請求項５に記載の発明は、例えば図１に示すように、
請求項３又は４に記載の軽量基材板体ユニットにおいて、
前記軽量基材板体４は、前記照明器具５における光の照射方向に向かって開口し、前記照明器具５が設けられる開口溝４ｅを有し、
前記面材４ｂの内部側には、前記開口溝４ｅの位置に対応して、前記照明器具５を固定するための受材４ｃ・４ｉが設けられていることを特徴とする。
【００１５】
請求項５に記載の発明によれば、軽量基材板体４の開口溝４ｅに照明器具５を挿入して、その照明器具５を開口溝４ｅ内部の受材４ｃ・４ｉに対し固定することができる。
【００１６】
請求項６に記載の発明は、例えば図９から図１５に示すように、
請求項１に記載の軽量基材板体ユニットにおいて、
前記二次部材４１は、前記面材３４の外側面に接し、当該面材３４を介した状態で前記受桟２１に固定可能とされていることを特徴とする。
【００１７】
請求項６に記載の発明よれば、二次部材４１は、面材３４の外側面に接し、当該面材３４を介した状態で受桟２１に固定可能とされているので、軽量基材板体３１の面材３４の外側面に接する二次部材４１を、その面材３４を介した状態で受桟２１に固定することができる。
【００１８】
請求項７に記載の発明は、例えば図９から図１５に示すように、
請求項６に記載の軽量基材板体ユニットにおいて、
前記軽量基材板体３１は、前記軽量基材３２の前端面に設けられて前記軽量基材３２と共に前記面材３４によって被覆された芯材３３を備え、
前記二次部材４１は、前記壁１１に取り付けられた前記受桟２１と前記芯材３３に跨って配置して固定可能とされていることを特徴とする。
【００１９】
請求項７に記載の発明によれば、二次部材４１は、壁１１に取り付けられた受桟２１と芯材３３に跨って配置して固定可能とされているので、壁１１に取り付けられた受桟２１と、その受桟２１に固定した軽量基材板体３１の軽量基材３２の前端面に設けられて軽量基材３２と共に面材３４によって被覆された芯材３３と、に跨って二次部材２１を配置して固定することができる。
【００２０】
請求項８に記載の発明は、例えば図９から図１５に示すように、
請求項７に記載の軽量基材板体ユニットにおいて、
前記受桟２１は前記壁１１に対して縦方向に沿って取り付けられ、
前記軽量基材板体３１は、前記面材３４が前記受桟２１に被せて固定されることによって縦方向に配置され、
前記二次部材は、縦方向に配置された前記軽量基材板体３１に交差する方向に配置される軽量基材棚板６１を固定するための棚板用受桟４１であることを特徴とする。
【００２１】
請求項８に記載の発明によれば、壁１１に対して縦方向に沿って取り付けられ受桟２１に面材３４を被せることで、縦方向に軽量基材板体３１を固定することができる。
さらに、その縦方向の軽量基材板体３１に、その交差する方向に配置される軽量基材棚板６１を固定するための棚板用受桟４１を設けることができる。
このように、壁１１に取り付けた縦方向の受桟２１に固定された軽量基材側板３１と、その軽量基材側板３１内部の受桟２１及び芯材３３に面材３４を介して取り付けられた棚板用受桟４１に固定する軽量基材棚板６１と、からなる本棚として使用することができる。
そして、軽量基材側板３１に対する棚板用受桟４１（軽量基材棚板６１）の配置位置が自由に選択できる。
しかも、軽量基材側板３１及び軽量基材棚板６１により構成される本棚でありながら、転倒の心配がない。
【発明の効果】
【００２２】
本発明によれば、軽量基材を面材で被覆した軽量基材板体において、壁に取り付けた受桟には、面材とは異なる二次部材が固定可能とされているので、例えば照明器具の電源ボックス等の二次部材の組み込みを、重量物化を招くことなく実現することができる。
【図面の簡単な説明】
【００２３】
【図１】本発明に係る軽量基材板体ユニットの構成例を示す縦断側面図（ａ）（ｂ）（ｃ）である。
【図２】本発明を適用した照明付きカウンターの設置例を示す要部斜視図である。
【図３】図２の照明付きカウンターの照明部分を下方から見た斜視図である。
【図４】図２の照明付きカウンターの照明器具単体を下方から見た斜視図（ａ）と、その照明取付台の長さ方向に沿った縦断面図（ｂ）である。
【図５】図４の照明器具の装着の仕方を示した斜視図である。
【図６】図１の受桟を壁に取り付けた状態を示す平面図（ａ）と、その正面図（ｂ）と、そのビス位置の変更配置例を示した図（ｃ）である。
【図７】図６の受桟に電源ボックスを取り付けた状態を示す正面図（ａ）と、その縦断側面図（ｂ）である。
【図８】図７の電源ボックスを取り付けた受桟に図１から図５の照明付きカウンターを取り付ける仕方を示すもので、受桟を断面で示した平面図である。
【図９】本発明に係る軽量基材板体ユニットの実施形態２を示す概略斜視図である。
【図１０】本発明を適用した本棚の設置例を示す正面図である。
【図１１】図９及び図１０の壁に取り付ける縦方向の受桟の取り付けの仕方を示す概略正面図（ａ）と、その平面図（ｂ）及び縦断側面図（ｃ）である。
【図１２】図１１の縦方向の受桟に図９及び図１０の軽量基材側板を取り付ける仕方を示す平面図である。
【図１３】図９及び図１０の軽量基材側板に横方向の受桟を取り付ける仕方を示す壁及び床を破断した側面図である。
【図１４】図１３の横方向の受桟間の壁に横方向の受桟を取り付ける仕方を示す正面図である。
【図１５】図１４の三方の横方向の受桟に軽量基材棚板を取り付ける仕方を示す概略斜視図である。
【発明を実施するための形態】
【００２４】
以下、図面を参照して本発明の実施の形態について説明する。
【００２５】
（実施形態１）
図１（ａ）（ｂ）（ｃ）は本発明に係る軽量基材板体ユニットの構成例を示すもので、第１例を示した図１（ａ）において、１は壁、２は受桟、３はビス、４は軽量基材板体（照明付きカウンター）、５は照明器具（ＬＥＤ照明灯）、６は二次部材（電源ボックス）、７は配線である。
【００２６】
図示のように、壁１に対し横方向に沿って、例えばＬＶＬ（Laminated Veneer Lumber:単層積層材）製の受桟２がビス３で水平に取り付けられており、この受桟２に対し軽量基材板体による照明付きカウンター４が接着して取り付けられている。
受桟２には、図７（ｂ）にも示すように、上下面に接着剤受け溝２ｍが形成されていて、突出端の上下が斜めにカットされたテーパー状ガイド面２ｔとなっている。
なお、受桟２は、ＬＶＬに限らず他の木材や合板等であってもよい。
また、ビス３の頭部は受桟２に埋没されている。
【００２７】
照明付きカウンター４は、木材より軽い軽量材であるペーパーハニカムで形成した軽量基材４ａを、例えばＭＤＦ(medium density fiberboard：中密度繊維板）製の化粧下地板に木目等が印刷された化粧シートを表面に施してなる面材４ｂにより上下に挟み込んで前端面を覆って接着して構成されている。
なお、軽量基材４ａとしては、ペーパーハニカム以外にも発泡ウレタンや発泡スチロールなどを用いることが可能である。また、面材４ｂは、ＭＤＦに限らず他の木材や合板を化粧下地板として使用してもよく、または化粧シートを用いずに突板のみの構成にしてもよい。
【００２８】
図示例において、照明付きカウンター４は、軽量基材４ａの上下両面及び左端面（前端面）を面材４ｂで被覆して、その上下の面材４ｂが軽量基材４ａから右側（後側）に大きく突出している。
そして、軽量基材４ａの中間部が分断されて、その分断部間に、例えばＬＶＬ製の受材４ｃが上方の面材４ｂの下面に接着されている。
なお、受材４ｃは、ＬＶＬに限らず他の木材や合板等であってもよい。
【００２９】
この受材４ｃの下面に、カラー鋼板をプレス成形した照明取付台４ｄが接着されている。この照明取付台４ｄの両側下面に下方の面材４ｂが接着されて、その間に沿って開口溝４ｅが形成されている。
その面材４ｂの開口溝４ｅから照明取付台４ｄに、照明器具であるＬＥＤ（Light Emitting Diode：発光ダイオード）照明灯５が磁石８（図５参照）の磁力で吸着して装着される。
【００３０】
また、受桟２には、二次部材として電源ボックス６がビス９（図７参照）で固定されている。
この電気ボックス６には、受桟２に形成した配線溝２ｂに通した電気コードによる配線７が接続され、この配線７は、照明取付台４ｄの端部の隙間Ｓ（図４参照）からＬＥＤ照明灯５の端部に接続されている。
【００３１】
第２例としては、図１（ｂ）に示すように、受材４ｃの下面に下地材４ｆが接着されて、その下地材４ｆの下面中央に、前述した第１例のカラー鋼板をプレス成形した照明取付台４ｄに代えて、平板状のカラー鋼板による照明取付台４ｇが接着されている。
また、下地材４ｆの下面両側に沿って化粧用芯材４ｈが接着されて、その両側の化粧用芯材４ｈの下面に下方の面材４ｂが接着されていて、その間に沿って開口溝４ｅが形成されている。
【００３２】
第３例としては、図１（ｃ）に示すように、前述した第２例の下地材４ｆよりも幅が狭い受材４ｉの下面に下地材４ｊが接着されて、その下地材４ｊの下面に平板状のカラー鋼板による照明取付台４ｋが接着されている。この照明取付台４ｋの下面両端に下方の面材４ｂが接着されていて、その間に沿って開口溝４ｅが形成されている。
【００３３】
以上の照明付きカウンター４において、面材４ｂは、図示のように、軽量基材４ａの隅部を囲む部分では、表面を化粧シートで覆われた化粧下地板がＶ字状の切り欠き部で略直角に曲げられており、軽量基材４ａから右側（後側）に大きく突出して開放された先端部分では、化粧下地板が斜めにカットしたテーパー状ガイド面４ｔとなっている。
【００３４】
図２及び図３は本発明を適用した照明付きカウンター４の設置例を示すもので、図示のように、下方を照明するＬＥＤ照明灯５を組み込んだ照明付きカウンター４が壁１に設置されており、図２では、照明付きカウンター４の側端部も面材４ｂで覆われている。
【００３５】
図４（ａ）は照明付きカウンター４のＬＥＤ照明灯５単体を下方から見たもので、図示のように、照明取付台４ｄ（４ｆ）（４ｋ）の端部の隙間Ｓから配線７が導出してＬＥＤ照明灯５の端部に接続されている。
【００３６】
図４（ｂ）はその照明取付台４ｄ（４ｆ）（４ｋ）の長さ方向に沿った縦断面を示すもので、図示にように、照明取付台４ｄ（４ｆ）（４ｋ）の端部の隙間Ｓに下地材４ｆ（４ｊ）が露出していて、その下地材４ｆ（４ｊ）の露出部分に形成した配線孔４ｍから配線７が導出されている。配線７は電源ボックス６まで伸びて接続されるため、受材４ｃ（４ｉ）の端部間には配線用空間が形成されている。
図示例では、図１（ｂ）（ｃ）に対応する照明取付台４ｆ（４ｋ）端部の隙間Ｓに露出した下地材４ｆ（４ｊ）の配線孔４ｍから配線７が導出されて、受材４ｃ（４ｉ）の端部間の配線用空間がつなぎ材４ｎにより確保されている。
また、図１（ａ）に対応する照明取付台４ｄの場合には、下地材がないため、受材４ｃの端部間の配線用空間から配線７が導出される。
なお、つなぎ材４ｎはなくてもよい。
【００３７】
図５はＬＥＤ照明灯５の装着の仕方を示したもので、図示のように、ＬＥＤ照明灯５の装着する際において、そのＬＥＤ照明灯５の基部背面側に組み込まれた磁石８がカラー鋼板製の照明取付台４ｄ（４ｆ）（４ｋ）に強力な磁力で吸着して強固に固定状態となる。
【００３８】
図６（ａ）及び（ｂ）は受桟２を壁１に取り付けた状態を示すもので、図示のように、壁１に配線孔１ａが貫通して形成されて、その壁１に取り付けられる受桟２にも配線孔１ａに対応する配線孔２ａが貫通して形成されている。
そして、受桟２の外側面に沿って、配線孔２ａが開口する配線溝２ｂが形成されている。この配線溝２ｂの底面内にビス３の頭が埋没する。
【００３９】
図６（ｂ）では、配線溝２ｂの中心線上にビス３が並ぶようにしたが、図６（ｃ）に示すように、配線溝２ｂに対しビス３を上下交互にずらせた千鳥状に配置してもよい。
このように、配線溝２ｂに対しビス３を上下交互にずらせた千鳥状パターンの配置とすれば、壁１に対する受桟２の取付強度が上がる。
【００４０】
図７（ａ）及び（ｂ）は受桟２に電源ボックス６を取り付けた状態を示すもので、図示のように、受桟２に対し電源ボックス６が両端のビス９で固定されており、配線溝２ｂには、ビス９を避けて配線７が通されている。
【００４１】
図８（ａ）及び（ｂ）は電源ボックス６を取り付けた受桟２に照明付きカウンター４を取り付ける仕方を示すもので、図示のように、壁１に取り付けられて三個の電源ボックス６を備えた受桟２に対し、照明付きカウンター４の上下の面材４ｂの開放端部を、予め接着剤を塗布した状態で被せて接合固定する。
すなわち、受桟２の上面の接着剤受け溝２ｍに接着剤を塗布する一方、照明付きカウンター４の軽量基材４ａから大きく突出した下方の面材４ｂ先端側上面にも接着剤を塗布しておく。
そして、受桟２の突出端上下のテーパー状ガイド面２ｔに対し、照明付きカウンター４の上下の面材４ｂ先端部分のテーパー状ガイド面４ｔを各々ガイドさせて、図１に示したように、受桟２の上下面に上下の面材４ｂの開放端部を各々被せてそれぞれ接着固定する。
図示例では、電源ボックス６の間において、上下の面材４ｂ間に二本の離間した補強リブ４ｒがそれぞれ設けられている。この離間した二本の補強リブ４ｒによって、棚への鉛直荷重が抑えられる。
また、軽量基材４ａには、補強リブ４ｒを各々収容する切り欠き溝４ｐがそれぞれ形成されている。
【００４２】
以上において、少なくとも受桟２を照明付きカウンター４に挿入した状態で梱包され、工場から出荷されて現場に納品され、現場にてカウンターから取り外した受桟が、上述の通り、壁に固定される。そして、別途工場又は照明業者から納品された電源ボックス等が取り付けられる。
【００４３】
なお、受桟２に電源ボックス６を固定するビス９の位置によって、配線溝２ｂに配線７を通せない場合には、照明付きカウンター４の内部に、電源ボックス６の外側に沿って配線７を通すようにすればよい。
また、配線７は、照明付きカウンター４の内部を通してＬＥＤ照明灯５の端部に接続されている。
【００４４】
以上、実施形態によれば、壁１に横方向に沿って取り付けた横方向の受桟２に対し、軽量基材４ａの上下両面及び前端面を被覆した面材４ｂの後端部を被せて固定する軽量基材板体により形成されて、ＬＥＤ照明灯５を付けたカウンター４のユニットであって、受桟２にＬＥＤ照明灯５の電源ボックス６を固定したため、以下の作用効果が得られる。
【００４５】
すなわち、軽量基材板体による照明付きカウンター４において、その面材４ｂを被せて固定する受桟２に、二次部材としての電源ボックス６が固定可能とされているので、電源ボックス６の支持材が別途不要となり、重量を抑えることができて、照明付きカウンター４の面材４ｂの端部を被せて固定する横方向の受桟２に電源ボックス６を安定的に支持することができる。
このように、照明付きカウンター４のＬＥＤ照明灯５の電源ボックス６の組み込みを、重量物化を招くことなく、照明付きカウンター４の面材４ｂ端部を被せて固定する横方向の受桟２を利用して実現することができる。
【００４６】
しかも、ＬＥＤ照明灯５の電源ボックス６を、軽量基材板体による照明付きカウンター４内に面材４ｂにより被覆して隠すことができる。
また、その電源ボックス６を、受桟２にビス９止めして固定することができる。
また、ＬＥＤ照明灯５を、軽量基材板体による照明付きカウンター４の開口溝４ｅに挿入して、その開口溝４ｅ内部の受材４ｃ・４ｉに対し固定することができる。
【００４７】
そして、壁１の内部から電源ボックス６への配線７を、壁１の配線孔１ａから受桟２の配線孔２ａ及び配線溝２ｂに沿って通ことができる。
【００４８】
（変形例）
以上の実施形態では、下方を照明するＬＥＤ照明灯を組み込んだ照明付きカウンターとしたが、又は/及び、上方を照明するＬＥＤ照明灯を組み込んでもよく、あるいは、壁に縦方向に沿って取り付けた受桟に固定する縦方向の軽量基材板体にＬＥＤ照明灯を組み込むようにしてもよい。
また、受桟に配線孔及び配線溝を形成したが、受桟間を離間して、そのスペースに配線してもよい。
また、照明器具は、ＬＥＤ照明灯に限らず、他の照明灯でもよい。
【００４９】
（実施形態２）
図９は本発明に係る軽量基材板体ユニットの実施形態２を示すもので、図１０は本発明を適用した本棚の設置例を示すものであり、１１は壁、１２は床、１３は天井、２１は受桟、３１は軽量基材側板（軽量基材板体）である。
【００５０】
図示のように、壁１１には、床１２から天井１３までの間で縦方向に沿って、前述した実施形態１と同様の受桟２１がビス止めして垂直に設置されている。
軽量基材板体による軽量基材側板３１は、実施形態１と同様の軽量基材３２と、例えばＬＶＬ製の芯材３３が、面材３４で左右に挟み込んで前端部を覆って接着して構成されている。面材３４は、芯材３３の端面も覆っているが、他端側は開放されている。
この軽量基材側板３１は、その面材３４の開放された後端により形成されるコ字状部を、予め接着剤を塗布した状態で受桟２１に被せて接着固定する（具体的には図１２参照）。
こうして受桟２１に固定した複数の軽量基材側板３１の間に、仮想線で示した軽量基材棚板６１が組み付けられる。
なお、芯材３３は、ＬＶＬに限らず他の木材や合板等であってもよい。
【００５１】
図１１（ａ）（ｂ）（ｃ）は壁１１に取り付ける縦方向の受桟２１の取り付けの仕方を示すもので、図示のように、壁１１に最初の受桟２１をビス２２で固定する。そして、その受桟２１の側方に幅用治具板２３を添えて次の受桟２１をビス２２で固定する。
【００５２】
図１２は縦方向の受桟２１に軽量基材側板３１を取り付ける仕方を示すもので、図示のように、受桟２１は、突出端の左右が斜めにカットされたテーパー状ガイド面２１ｔとなっており、軽量基材側板３１の左右の面材３４の突出端部は、表面を化粧シートで覆われた化粧下地板が斜めにカットしたテーパー状ガイド面３４ｔとなっている。
したがって、軽量基材側板３１の面材３４の開放された後端のコ字状部の左右内面に、予め接着剤３５を各々塗布した状態で、図示のように、受桟２１の突出端左右のテーパー状ガイド面２１ｔに対し、左右の面材３４先端部分のテーパー状ガイド面３４ｔを各々ガイドさせて、受桟２１の左右面に左右の面材３４の開放端部を各々被せてそれぞれ接着固定する。
【００５３】
図１３は軽量基材側板３１に、二次部材として横方向の棚板用受桟４１を取り付ける仕方を示すもので、図示のように、軽量基材側板３１に最初の棚板用受桟４１を床１２から若干の隙間を開けて水平器で水平確認してから、その棚板用受桟４１の両端をビス４２で面材３４を通して前記縦方向の受桟２１と芯材３３とにそれぞれ固定する。そして、その棚板用受桟４１の上方に高さ用治具板４３を添えて次の棚板用受桟４１を水平器で水平確認してから、その棚板用受桟４１の両端をビス４２で前記縦方向の受桟２１と芯材３３とにそれぞれ固定する。
このように、軽量基材側板３１の内部の受桟２１と芯材３３に固定した棚板用受桟４１を、以下では側受桟４１と呼ぶ。
【００５４】
図１４は軽量基材側板３１に固定した棚板用受桟である側受桟４１間の壁１１に横方向の棚板用受桟５１を取り付ける仕方を示すもので、図示のように、両側の軽量基材側板３１の側受桟４１の下面にわたって当て木５３を当てて、その上に棚板用受桟５１を載せて水平器で水平確認してから、その棚板用受桟５１の両端をビス２２で壁１１に固定する。
このように、壁１１に固定した棚板用受桟５１を、以下では壁受桟５１と呼ぶ
【００５５】
図１５は三方の横方向の側受桟４１及び壁受桟５１に軽量基材棚板６１を取り付ける仕方を示すもので、軽量基材棚板６１は、前述した実施形態１と同様の軽量基材６２の上下両面を面材６４で被覆して接着して構成されている。面材６４は、図示のように、軽量基材６３の前端面を被覆しているが、他の両側及び後端は開放されている。
すなわち、軽量基棚板６１の両側及び後端は、面材６４の開放された両側及び後端により各々形成されるコ字状部となっている。
【００５６】
三方の横方向の側受桟４１及び壁受桟５１に対する軽量基材棚板６１の取り付けに先立ち、図示のように、側受桟４１の上面の接着剤受け溝に沿って接着剤４５を塗布するとともに、壁受桟５１の上面の接着剤受け溝に沿って接着剤５５を塗布する一方、軽量基材棚板６１の開放された両側及び後端の下方の面材６４の各々上面に沿って接着剤６５をそれぞれ塗布しておく。
そして、三方の横方向の側受桟４１及び壁受桟５１に対し、軽量基材棚板６１の三方の面材６４により開放されたコ字状部を各々のテーパー状ガイド面によりそれぞれガイドして被せて、その上下面各々の接着剤４５・５５・６５によりそれぞれ接着固定する。
なお、軽量基材棚板６１の上面手前側には図書落下防止テープ６６を貼り付けておく。
【００５７】
以上、実施形態２によれば、壁１１に縦方向に沿って取り付けた受桟２１に対し、軽量基材３２の左右両面及び前端面を被覆した面材３４の後端部を被せて固定する軽量基材側板３１を備える本棚ユニットで、軽量基材側板３１を固定する受桟２１に二次部材として、軽量基材棚板６１を固定支持する棚板用受桟４１を固定するため、以下の作用効果が得られる。
【００５８】
すなわち、軽量基材棚板６１の棚板用受桟４１の支持材が別途不要となり、重量を抑えることができて、軽量基材側板３１の面材３３の端部を被せて固定する受桟２１に棚板用受桟４１を安定的に支持することができる。
このように、軽量基材板体により構成される本棚において、軽量基材側板３１に対する棚板用受桟４１及び軽量基材棚板６１の組み込みを、重量物化を招くことなく、軽量基材棚板３１を固定する縦方向の受桟２１を利用して実現することができる。
【００５９】
さらに、軽量基材棚板６１を、壁１１に横方向に沿って取り付けた壁受桟５１と、軽量基材側板３１の端部内の縦方向の受桟２１に対し、ビス４２を軽量基材側板３１の面材３４に通して横方向に沿って取り付けた側受桟４１と、に上下の面材６４を被せてそれぞれ固定することができる。
【００６０】
しかも、軽量基材側板３１に取り付ける横方向の側受桟４１を、軽量基材側板３１の縦方向の受桟２１と反対側の先端部内の芯材３３に対し、ビス４２を軽量基材側板３１の面材３４に通して取り付けてそれぞれ固定することができる。
【００６１】
そして、壁１１の縦方向の受桟２１に固定した軽量基材側板３１と、縦方向の受桟２１に軽量基材側板３１の面材３４を介して固定した棚板用受桟４１に固定された軽量基材棚板６１と、からなる軽量基材板体ユニットによる本棚として使用することができる。
さらに、軽量基材側板３１に対する棚板用受桟４１の配置位置が自由に選択でき、すなわち、軽量基材棚板６１の配置位置が自由に選択できる。
しかも、軽量基材側板３１及び軽量基材棚板６１により構成される本棚でありながら、転倒の心配がないといった利点も得られる。
【００６２】
（他の変形例）
以上の実施形態においては、照明付きカウンターと本棚としたが、本発明はこれに限定されるものではなく、他の建て付け家具であってもよい。
例えば、側板に照明が埋め込まれた本棚とし、二次部材として電源ボックス、棚板の受桟の両方としてもよい。
また、実施形態では、木製の受桟としたが、軽量溝形鋼等の金属製であってもよい。
さらに、軽量基材板体ユニットの形状や材質等も任意であり、その他、具体的な細部構造等についても適宜に変更可能であることは勿論である。
【符号の説明】
【００６３】
１  壁
１ａ  配線孔
２  横方向の受桟
２ａ  配線孔
２ｂ  配線溝
２ｍ  接着剤受け溝
２ｔ  テーパー状ガイド面
３  ビス
４  軽量基材板体（照明付きカウンター）
４ａ  軽量基材
４ｂ  面材
４ｃ  受材
４ｄ  照明取付台
４ｅ  開口溝
４ｆ  下地材
４ｇ  照明取付台
４ｈ  化粧用芯材
４ｉ  受材
４ｊ  下地材
４ｋ  照明取付台
４ｎ  つなぎ材
４ｐ  切り欠き溝
４ｒ  補強リブ
４ｔ  テーパー状ガイド面
５  照明器具（ＬＥＤ照明灯）
６  二次部材（電源ボックス）
７  配線
８  磁石
９  ビス
１１  壁
１２  床
１３  天井
２１  縦方向の受桟
２１ｔ  テーパー状ガイド面
２２  ビス
２３  幅用治具板
３１  軽量基材板体（軽量基材側板）
３２  軽量基材
３３  芯材
３４  面材
３４ｔ  テーパー状ガイド面
３５  接着剤
４１  二次部材（横方向の棚板用受桟、側受桟）
４２  ビス
４３  高さ用治具板
４５  接着剤
５１  横方向の棚板用受桟（壁受桟）
５２  ビス
５３  当て木
５５  接着剤
６１  軽量基材棚板
６２  軽量基材
６４  面材
６５  接着剤
６６  図書落下防止テープ
【図１】
2018171134.tif 000003
【図２】
2018171134.tif 000004
【図３】
2018171134.tif 000005
【図４】
2018171134.tif 000006
【図５】
2018171134.tif 000007
【図６】
2018171134.tif 000008
【図７】
2018171134.tif 000009
【図８】
2018171134.tif 000010
【図９】
2018171134.tif 000011
【図１０】
2018171134.tif 000012
【図１１】
2018171134.tif 000013
【図１２】
2018171134.tif 000014
【図１３】
2018171134.tif 000015
【図１４】
2018171134.tif 000016
【図１５】
2018171134.tif 000017